(57)【要約】【課題】  吸口継手を常に常態位置にて確実にロックし、かつ自立できるようにした電気掃除機を得ること。【解決手段】  底面に吸込口２を有する吸口本体１と、この吸口本体１の長手方向中央部に水平回動自在に取り付けられて前記吸込口２に連通する吸口継手取付用ケース３と、前記吸口本体１に対して前記吸口継手取付用ケース３の回転位置を常態位置に復帰させる復帰手段と、前記吸口継手取付用ケース３に上下揺動自在に軸支された第１吸口継手５と、この第１吸口継手５に斜めの結合面６を介して相対的に回動するように結合された第２吸口継手７とを備え、前記第１吸口継手５と前記第２吸口継手７とを真っ直ぐにして起立させたとき、これらの吸口継手同士をロックし、かつ前記吸口継手取付用ケース３に対して同時にロックする一つのロック手段３０を設ける。【選択図】      図４
2006025844.tif 000002
【特許請求の範囲】
【請求項１】
底面に吸込口を有する吸口本体と、この吸口本体の長手方向中央部に水平回動自在に取り付けられて前記吸込口に連通する吸口継手取付用ケースと、前記吸口本体に対して前記吸口継手取付用ケースの回転位置を常態位置に復帰させる復帰手段と、前記吸口継手取付用ケースに上下揺動自在に軸支された第１吸口継手と、この第１吸口継手に斜めの結合面を介して相対的に回動するように結合された第２吸口継手とを備え、前記第１吸口継手と前記第２吸口継手とを真っ直ぐにして起立させたとき、これらの吸口継手同士をロックし、かつ前記吸口継手取付用ケースに対して同時にロックする一つのロック手段を設けたことを特徴とする電気掃除機。
【請求項２】
前記ロック手段は、前記第１吸口継手に摺動自在に取り付けられたロック部材と、このロック部材を前方へ付勢するばねと、前記ロック部材を覆うカバーと、ロックの際、前記ロック部材の先端を押し上げてから係合するように前記吸口継手取付用ケースに突設された係合突条部と、前記第２吸口継手に取り付けられるカバー内面に設けられた前記ロック部材の後端部が進入する係合凹部と、この後端部がロック時当接する当接部とからなることを特徴とする請求項１記載の電気掃除機。
【請求項３】
前記係合凹部は、前記第２吸口継手のカバー上面に隆起して形成されており、この隆起部分の外側は前記ロック部材の後端部が係合しない開放領域となっていることを特徴とする請求項２記載の電気掃除機。
【請求項４】
前記ロック手段のロック力は、前記吸口継手に接続された延長管を持ち上げたとき、前記吸口本体が下がらない程度に設定されていることを特徴とする請求項１乃至３のいずれかに記載の電気掃除機。
【請求項５】
ロック時、延長管を前記第２吸口継手に接続した状態でその延長管の重心位置を前記吸口本体の前後幅の範囲内に位置するように設定することを特徴とする請求項１乃至４のいずれかに記載の電気掃除機。
【請求項６】
ロック時における前記延長管の重心位置は、最長および最短使用時において、前記吸口本体の前後幅のほぼ中間位置にあることを特徴とする請求項５記載の電気掃除機。
【請求項７】
前記第１吸口継手と前記第２吸口継手が一体となった一つの吸口継手からなることを特徴とする請求項１乃至６のいずれかに記載の電気掃除機。
【発明の詳細な説明】
【技術分野】
【０００１】
本発明は、電気掃除機に係り、特に電気掃除機の吸口体に関する。
【背景技術】
【０００２】
従来、電気掃除機において、隙間用ノズル等のアタッチメントと延長管との交換や収納を容易にするため、操作ハンドル付きの延長管用支持体を床用吸込具（吸口体ともいう）の吸口継手に連結し、該支持体を床用吸込具に対してわずかに前傾姿勢で立てておく自立構造のものが提案されている（例えば、特許文献１参照）。延長管は吸口継手に着脱自在に接続されるようになっている。しかし、上記支持体のロック手段は設けられておらず、単に床用吸込具の本体に設けられた当接部に支持体を当接して立て掛けているだけのものである。
また、ロック手段については、管部材を正規の回転位置にて起立させたときにのみ上下方向の揺動をロックするようにしたものがある（例えば、特許文献２参照）。
【０００３】
【特許文献１】特開２０００−１３９７９１号公報
【特許文献２】特開平２−２３７５２３号公報
【発明の開示】
【発明が解決しようとする課題】
【０００４】
特許文献１に開示された技術では、上記支持体のロック手段は設けられていないので、不用意に衣服や手などが触れると支持体が簡単に倒れてしまう。そのため、床や家具等に傷を付けるおそれがある。また、支持体が倒れてしまうと、使用者はその都度腰をかがめて支持体を起こさなければならず、使用に不便であり、また電気掃除機の収納にも手数がかかり不便である。
一方、特許文献２のように管部材の上下揺動をロックするロック手段のほかにロックがかかる回転位置を設定する位置決め手段を設ける構造では、正規の回転位置に位置決めして管部材を起立させない限り正常にロックしないので、ロック状態がとかく中途半端になりやすい。そのため、このような半ロック状態もしくは不完全ロック状態では管部材が倒れやすくなり、特許文献１と同様の問題が生じる。
【０００５】
本発明は、上記のような課題に鑑みてなされたもので、吸口継手を常に常態位置にて確実にロックし、かつ自立できるようにした電気掃除機を得ることを目的とする。
【課題を解決するための手段】
【０００６】
前記課題を解決するため、本発明に係る電気掃除機は、底面に吸込口を有する吸口本体と、この吸口本体の長手方向中央部に水平回動自在に取り付けられて前記吸込口に連通する吸口継手取付用ケースと、前記吸口本体に対して前記吸口継手取付用ケースの回転位置を常態位置に復帰させる復帰手段と、前記吸口継手取付用ケースに上下揺動自在に軸支された第１吸口継手と、この第１吸口継手に斜めの結合面を介して相対的に回動するように結合された第２吸口継手とを備え、前記第１吸口継手と前記第２吸口継手とを真っ直ぐにして起立させたとき、これらの吸口継手同士をロックし、かつ前記吸口継手取付用ケースに対して同時にロックする一つのロック手段を設けたものである。
【発明の効果】
【０００７】
本発明は、上記のように構成することにより、吸口継手取付用ケースは復帰手段により常に常態位置にあるので、第１吸口継手と第２吸口継手を真っ直ぐにして起立させるだけで、確実にロックすることができ、かつ吸口本体上にて安定して自立させることができる。したがって、掃除の際や収納に便利である。
【発明を実施するための最良の形態】
【０００８】
以下、本発明の実施の形態を図面に基づいて説明する。
【０００９】
実施の形態１．
図１は本発明の実施の形態１を示す電気掃除機の吸口体の斜視図、図２は吸口体の上面図、図３は吸口体の正面図、図４は図３のＡ−Ａ断面側面図、図５は吸口体を下方より示す分解斜視図、図６は吸口継手組立体を下方より示す分解斜視図、図７は第１吸口継手のロック部材用カバーを取り外した状態を示す斜視図、図８乃至図１３はロック動作の説明図で、図８は図１０の吸口継手組立体の上面図、図９は図１０の吸口継手組立体の正面図、図１０乃至図１２は起立角度に伴うロック部材の動作を示す吸口継手組立体の断面図で、図１３はロック時における吸口継手組立体の断面図である。また、図１４は第２吸口継手を壁と平行にして掃除するときの説明図である。
【００１０】
（全体構成）
はじめに、図１５を参照して本実施の形態に係る電気掃除機の全体構成について説明する。図１５はこの電気掃除機の概略側面図である。
この電気掃除機は、電動送風機や制御回路、集塵フィルタ等が内蔵された掃除機本体１０１と、掃除機本体１０１の吸込口部に一端側が接続されるホース１０２と、図示しないスイッチ操作部が設けられ、ホース１０２の他端側が接続されるとともに使用者が手に持って操作する手元ハンドル部１０３と、手元ハンドル部１０３の先端部に分岐状に設けられた隙間用ノズル等のアタッチメント本体部１０４と、手元ハンドル部１０３の他方の分岐接続口部に図示しない開閉弁を介して一端側が接続される延長管１０５と、延長管１０５の他端側が接続される吸口体１０とから構成されている。図中、１０６は延長管１０５を外すためのトリガーである。
なお、手元ハンドル部１０３には上記のような隙間用ノズル等のアタッチメント本体部を設けなくてもよく、通常用いられている形態の延長管１０５のみを着脱自在に接続できるものであってもよい。また、延長管はパイプが伸び縮みする伸縮式、あるいは複数のパイプを繋いでいく継ぎパイプ式のいずれでも構わない。
【００１１】
（吸口体の構成）
次に、図１５のＰ部の詳細を示した図１乃至図１３を参照して、吸口体１０の構成を説明する。
吸口体１０は、底面に吸込口を有する吸口本体１と、この吸口本体１の長手方向中央部に水平回動自在に取り付けられて吸込口２に連通する吸口継手取付用ケース３と、吸口本体１に対して吸口継手取付用ケース３の回転位置を常態位置に復帰させるねじりばね４からなる復帰手段と、吸口継手取付用ケース３内に上下揺動自在に軸支された第１吸口継手５と、この第１吸口継手５に斜めの結合面６を介して相対的に回動するように結合された第２吸口継手７とからなっている。また、ここで「常態位置」というのは、吸口体１０と第２吸口継手７とが上面から見てＴ字状になっているときの位置をいい、掃除において最も頻度の高い直進掃除のときの状態である。
【００１２】
さらに上記の各構成部材について詳細に説明すると、上記吸口本体１は、図４乃至図７に示すように、底面に吸込口２を設けた下ケース８と、下ケース８にその上部を覆うように被着される上ケース９と、吸込口２に臨ませて内部に回転自在に軸支された回転清掃体１１とを備えている。この吸口本体１の長手方向中央部の後部に吸口継手の一つを構成する吸口継手取付用ケース３が水平回動自在に装着される。
【００１３】
（吸口継手の構成）
吸口継手は、ここでは延長管等の管体が接続される第２吸口継手７を吸口本体１に対して上下、左右、および斜めの各方向に回動できるように構成されている。つまり、３軸回転機構からなる自在継手となっている。その構成は以下のとおりである。
【００１４】
吸口本体１の上ケース９には、吸口継手取付用ケース３の取付位置に、後部が開放された半円状の切欠部１２が形成され、この切欠部１２内において吸口継手取付用ケース３が吸口本体１の上ケース９と下ケース８の間に挾持されて水平面内で回転自在に装着されている。吸口継手取付用ケース３は、継手取付用上ケース１３と継手取付用下ケース１４とからなり、それらの上下ケース１３、１４の前面に吸口本体１の吸込口２に連通する開口部１５が形成されている。なお、継手取付用下ケース１４内には、第２の継手取付用下ケース１４ａが分離して設けられているが、これらの継手取付用下ケースは一体に形成してもよいものである。また、継手取付用上ケース１３、継手取付用下ケース１４（第２の継手取付用下ケース１４ａを含む）のそれぞれには、開口部１５を形成する上下壁の各前部に円弧状のガイド突起１６ａ、１６ｂが形成され、これらの円弧状のガイド突起１６ａ、１６ｂを吸口本体１の上ケース９の切欠部１２に設けられた円弧状のガイド溝１７ａと、下ケース８に形成された円弧状のガイド溝（図示せず）にそれぞれ係合させることにより、吸口継手取付用ケース３は吸口本体１に対して水平面内で左右方向に所定の回転角度（各々約４５゜、合計約９０゜）で回動するようになっている。
【００１５】
さらに、吸口本体１に対して上下方向に約９０゜の角度で回動（揺動）するように、第１吸口継手５が吸口継手取付用ケース３に回転自在に装着されている。第１吸口継手５は曲がり継手として形成されており、その前部には円筒状の継手部１８が形成されている。この円筒状継手部１８の左右両側壁には回転軸１９が突設され、一方、上記の継手取付用上ケース１３と継手取付用下ケース１４（図示の例では第２の継手取付用下ケース１４ａ）の内面には半円弧状の切欠部からなる軸受部２０が形成され、これらの軸受部２０内に回転軸１９を上下から挟み込んで支持するようになっている。また、両回転軸１９は、中心線が前述の常態位置において、吸口本体１の長手方向に平行になるように配置されている。そして、この回転軸１９の中心線に直交する方向に第１吸口継手５および第２吸口継手７が配置されている。また、第１吸口継手５の円筒側面の前部には長方形状の開口部２１が形成され、開口部２１は、吸口継手取付用ケース３の開口部１５を通じて吸口本体１の吸込口２に連通している（図４、図９、図１０）。また、第２吸口継手７は第１吸口継手５と相対的に回動するように結合されており、その結合面６は両吸口継手５、７に共通な中心軸線に対して約４５゜で傾斜しており、かつ結合面６に設けられた円弧溝とこれに係合する突起とにより、第２吸口継手７は第１吸口継手５の中心に対して左右それぞれの方向に約９０゜（合計約１８０゜）回動できるようになっている。
【００１６】
（復帰手段の構成）
この復帰手段はねじりばね４からなり、前記吸口継手取付用ケース３を回転方向に与えられたねじりばね４の付勢力により、元の常態位置へ自動的に復帰させるものである。ねじりばね４は、この例では、吸口本体１の下ケース８上にネジにより固定される受けケース２２と吸口継手取付用ケース３の継手取付用下ケース１４との間に介在設置されている（図５、図６、図７）。受けケース２２には、底部よりばね掛け円筒２３が突設され、このばね掛け円筒２３にねじりばね４のコイル部が挿入（外嵌）されている。また、受けケース２２の底部においてばね掛け円筒２３の周囲には、前方に、ねじりばね４の両端を引っ掛けてその復帰位置（常態位置）を規定するための円弧状のばね係止壁２４が突設されるとともに、後方に、吸口継手取付用ケース３を案内するための円弧状のガイド壁２５が突設されている。
【００１７】
一方、吸口継手取付用ケース３の継手取付用下ケース１４には、その下面に、受けケース２２のばね掛け円筒２３にスライド自在に嵌合して回動中心の位置決めがなされるガイド円筒２６が垂下して設けられている。また、このガイド円筒２６の周囲には、前方に、受けケース２２のばね係止壁２４の円弧の内側、つまりねじりばね４の両端間に嵌入して、ねじりばね４によってその復帰位置（常態位置）に保持される円弧状のばね係止壁２７が垂下して設けられ、後方には、受けケース２２のガイド壁２５の円弧の外側にスライド自在に嵌入して案内されるスライド壁２８が垂下して設けられている。さらにスライド壁２８の両端に、ねじりばね４の回転を規制して、吸口継手取付用ケース３の回動範囲を左右各４５゜（合計約９０゜）に規定するストッパリブ２９が設けられている。
【００１８】
なお、上記の受けケース２２上に突設して形成されるガイド円筒２３、ばね係止壁２４およびガイド壁２５を吸口本体１の下ケース８の底面に直接一体形成することにより、受けケース２２を省略することもできる。
【００１９】
（ロック手段の構成）
ロック手段３０は、図４、図７、図１０に示すように、第１吸口継手５の常態位置において上面中央位置に配置されている。板状のロック部材３１が第１吸口継手５の軸方向に設けられたガイド壁３２の間に入れられて摺動自在に取り付けられている。このロック部材３１には長穴３３が設けられ、長穴３３内にロック部材用カバー３４を取り付けるためのネジ取付ボス３５とばね３６の一端を取り付けるためのばね取付部３７が挿入される。また、ロック部材３１の下面（裏面）には他方のばね取付部が形成されており、ばね３６はこれらのばね取付部３７、３８に取り付けられてロック部材３１を前方（吸口継手取付用ケース３側）へ付勢している。さらに、ロック部材３１の後端部３１ｂは先端部３１ａよりも幅が小さく形成され、かつ後端部３１ｂが嵌合する切欠溝３９が第１吸口継手５の前記結合面２１の外周縁部に設けられている。また、ロック部材３１の下面側の先端には適宜のＲやＣ面等の面取り３１ｃが施されている。
【００２０】
一方、ロック部材３１が係合する吸口継手取付用ケース３側の上面には、リブ状の係合突条部４０が形成されている。この係合突条部４０にも適宜のＲやＣ面等の面取り４０ａが施されている。さらに、ロック部材３１の後端側において、第２吸口継手７上面に取り付けられる吸口継手用のカバー４１内面には、上記切欠溝３９に対応して係合凹部４２が形成されており、この係合凹部４２の底壁は、ロック時、ロック部材３１の後端（上端）が当接する当接部４３となっている。また、この係合凹部４２はカバー４１表面上に隆起して形成されており、そのため係合凹部４２の周囲はロック部材３１の後端部３１ｂを逃がす開放領域となっている。すなわち、ロック部材の後端部３１ｂは、第１吸口継手５と第２吸口継手７が真っ直ぐになった状態のときにのみ係合凹部４２に挿入されて係合する。
また、ロック部材３１はカバー３４で覆われ、カバー３４は一つまたは複数のネジにて第１吸口継手５に取り付けられる。ロック部材先端部３１ａのガタツキをカバー３４により調整することにより、ロックの際の操作力（継手回動力）および保持力（ロック力）を調整することができる。
【００２１】
（その他の構成）
第１吸口継手５には、吸口継手取付用ケース３との間の隙間を塞ぎ空気洩れを防ぐためのシャッター４５が第１吸口継手５の回動に連動するように取り付けられている。
吸口本体１の下ケースには、その前端の両側に、前端縁から下面にかけて前側の支持体となる起毛布４６が取り付けられ、またその後端には、後側の支持体となる、起毛布が巻かれた後車輪４７が車軸を吸口本体１の長手方向と平行になるように取り付けられている。
吸口本体１の上ケース９の前部には、衝撃を緩和するためのバンパー４８が取り付けられている。
【００２２】
次に、上記のように構成された電気掃除機の動作を説明すると、通常の床面やカーペット等を掃除する場合には、延長管１０５を図１５のように吸口体１０の第２吸口継手７と手元ハンドル部１０３の間に接続し、第１吸口継手５と第２吸口継手７を真っ直ぐにし、手元ハンドル部１０３を持って吸口体１０を前後に押し引きしながら掃除を行う。このとき、吸口体１０の前後進に合わせて第１吸口継手５以降の管体を第１吸口継手５の回転軸１８を中心に上下方向に揺動させることができる。また、第１吸口継手５を最下端まで揺動させれば、第１吸口継手５から手元ハンドル部１０３までの管体を床面に対しほぼ平行にすることができ、吸口体１０全体の高さが低くなって、家具やベッドの下など、高さの低い狭い場所をも家具等を動かさずに掃除をすることができる。
【００２３】
また、前進時、吸口体１０が壁や家具等（特に家具や机の脚等）に衝突すると、吸口本体１が吸口継手取付用ケース３に対して自動的に相対回動し、これによって衝撃力を緩和するため、壁や家具または吸口本体１に傷がつくのを防止することができる。さらに、家具や机の脚等の部分を通過し、家具や机の脚等と吸口本体１との干渉状態が解消すると、ねじりばね４の復帰力により吸口本体１は元の常態位置に自動的に復帰する。したがって、吸口本体１は壁や壁等に当たらない限り常に操作方向に対して直角の向き（吸口体１０と延長管１０５がＴ形）に保持されるので掃除がしやすい。
【００２４】
さらに、手元ハンドル部１０３を操作して、第２吸口継手７にねじり動作を与えると、第２吸口継手７は第１吸口継手５に対して結合面２１から斜め方向に相対回動し折れ曲がる。そのため、例えば図１４のように吸口本体１を壁に押し付けて、第２吸口継手７をねじると、吸口本体１と第２吸口継手７を平行にすることができるので、吸口体１０がやっとはいるような狭い壁際なども能率的に掃除をすることができる。
【００２５】
また、吸口体１０がはいらないような極端に狭い場所、例えば家具の裏側などを掃除する場合は、手元ハンドル部１０３のトリガー１０６により延長管１０５を外す。これにより、手元ハンドル部１０３には隙間用ノズルのアタッチメント本体部１０４が取り付けられた状態となるので、隙間用ノズルを家具の裏側に挿入して掃除をすることができる。なお、手元ハンドル部１０３の延長管１０５接続口には図示しない開閉弁が設けられており、延長管１０５を外すとその接続口を開閉弁で閉じるようになっている。
【００２６】
次に、第２吸口継手７のロック動作について説明する。まず、図１５に示すように、延長管１０５を第２吸口継手７に接続したままで、第１吸口継手５と第２吸口継手７を真っ直ぐにして９０゜よりも少し大きい角度になるまで起立させる。吸口継手取付用ケース３は、前述のように、ねじりばね４により常に常態位置に復帰し保持されているので、延長管１０５を起立させるだけでよい。このとき、ロック部材３１は起立角度に応じて図１０乃至図１３に示すように動作する。すなわち、ロック部材３１は、第１および第２吸口継手５、６と共に回転軸１８を中心に回動し、先端部が吸口継手取付用ケース３上に突設された係合突条部４０に接触すると、ばね３６の力に抗してロック部材３１を押し上げる。これにより、ロック部材３１の後端部３１ｂは切欠溝３９を通じて、第２吸口継手７のカバー４１内面に形成された係合凹部４２内に進入する。さらにロック部材３１が回動すると、その先端部３１ａは係合突条部４０を乗り越え、ばね３６の力により係合突条部４０の前側に落ち込む。そして、所定の角度で回動したロック位置では、ロック部材３１の先端（下端）は、係合突条部４０の前側で吸口継手取付用ケース３上面に当接し、ロック部材３１の後端（上端）は、上記係合凹部４２内の当接部４３に当接し、ロック部材３１を上から押さえ込むような状態でロックする。それと同時に、第１吸口継手５と第２吸口継手７は互いに回動が阻止される。ついで、図１６、図１７に示すように、手元ハンドル部１０３のトリガー１０６により、延長管１０５から手元ハンドル部１０３を外す。これにより、第２吸口継手７に接続された延長管１０５を、吸口本体１の吸口継手取付用ケース３上に立てた状態で安定かつ確実に保持することができる。
【００２７】
したがって、延長管１０５に不用意に衣服や手などが触れても延長管１０５は簡単には倒れないので、家具や床等を傷つけることはない。また、掃除を中断する場合や電気掃除機を収納する場合には延長管１０５を自立状態にしておくことができるので、使用者は立ったままで取り扱うことができるため、収納や掃除の再開にあたってきわめて便利である。また、収納スペースを小さくできるので、場所をとらず収納が容易である。さらに、自立状態にある延長管１０５は、ある程度強く手前に引けばロックが解除されるので、掃除の再開等を容易に行うことができる。
【００２８】
また、第１吸口継手５と第２吸口継手７は、真っ直ぐになっている場合に限りロックがかかるようになっている。すなわち、第２吸口継手７が少し折れ曲がった状態でロックしようとしても、ロック部材３１の後端部３１ｂが係合凹部４２の入口部に当たってロック部材３１の先端部３１ａが係合突条部４０を乗り越えることができないので、ロックされない。さらにまた、第２吸口継手７がそれ以上に大きく折れ曲がった状態では、ロック部材の先端部３１ａは係合突条部４０を乗り越えることができるが、ロック部材の後端部３１ｂが係合凹部４２から外れてその外側の開放領域（オープンスペース）に入って係合されないため、第２吸口継手７を容易に引き戻すことができる。要するに、第２吸口継手７は折れ曲がった状態ではロックがかからないか、ロックが入っても不安定な状態となるので、第１吸口継手５と第２吸口継手７とが、真っ直ぐになっていないとロックされないのである。したがって、延長管１０５の自立を安定かつ確実に行うことができる。
【００２９】
また、ロック時の保持力（ロック力）は、第２吸口継手７に接続された延長管１０５を持ち上げたとき、吸口体１０のヘッド部分が下がらない程度に設定されている。ロック力が強すぎるとロック解除が難しくなり、逆にロック力が弱すぎると、持ち上げたときに簡単にヘッド部分が下がってしまい、そうなると、収納がしにくいし、掃除もヘッド部分が床等に当たってしにくいからである。
【００３０】
また、延長管１０５を吸口体１０の第２吸口継手７に接続した状態で、図１８、図１９に示すように、延長管１０５の重心位置Ｇが吸口本体１の前後幅の範囲内に位置するように設定する。また、延長管１０５は伸縮式、継ぎパイプ式にかかわらず、最長から最短までの長さにおいて重心位置Ｇが吸口本体１の前後幅の範囲内に位置するように設定する。このとき、重心位置Ｇが吸口本体１の前後幅のほぼ中間位置にくるように設定するとよい。また、延長管最長使用時および最短使用時において、延長管１０５が水平とのなす角度θ１、θ２は、９１〜９７゜の範囲が適している。したがって、延長管１０５は、ロック時、吸口本体１上でやや前傾姿勢となる。
上記のような重心位置Ｇ、角度θを設定することにより、延長管１０５やその他のアタッチメントを安定して自立させることができる。
【００３１】
実施の形態２．
本実施の形態は、図示は省略するが、第１吸口継手５と第２吸口継手７を一体化し一つの吸口継手として構成するものである。この場合、この吸口継手は左右回動（水平回動）と上下揺動の２軸回転となる。ロック手段３０の構成は実施の形態１と同様であるが、吸口継手が折れ曲がることはないので、ロック部材の後端部は係合凹部に臨ませるか、もしくはその内部に若干挿入した状態にする。また、ロック部材用カバー３４、吸口継手用カバー４１も一体にしてもよいし、別体にしてもよい。
このようなロック手段３０の構成によっても前述のとおりのロック動作を行わせることができ、吸口継手に接続された延長管１０５やその他のアタッチメントを安定して自立させることができる。
【００３２】
実施の形態３．
ロック部材３１は、耐用性の見地から、なるべく硬質の材料を使用することが好ましい。ロック時の保持力（ロック力）は、ロック部材先端部のＲや係合突条部のＲ、ロック部材用カバー３４の弾性等により変化するので、これらのファクターに留意して設計する。
また、ロック部材の長さ（長穴の長さ）を適正に設定することにより、ロック部材先端をほぼカバー３４の先端と面一にすることもできる。これにより、外観を良くすることができる。
また、ロック部材の長さ（長穴の長さ）を適正に設定することにより、ロック部材後端を係合凹部４２に臨ませた状態にすることができ、これによって、第２吸口継手７を少し左右に回動させたときに発する「カチカチ」という、いわゆるクリック感が得られ、起立操作をする際に第２吸口継手７が真っ直ぐになっているかどうかを聴覚によって感得することができる。
【図面の簡単な説明】
【００３３】
【図１】本発明の実施の形態１を示す電気掃除機の吸口体の斜視図。
【図２】図１の吸口体の上面図。
【図３】図１の吸口体の正面図。
【図４】図３のＡ−Ａ断面側面図。
【図５】図１の吸口体を下方より示す分解斜視図。
【図６】図１の吸口継手組立体を下方より示す分解斜視図。
【図７】第１吸口継手のロック部材用カバーを取り外した状態を示す斜視図。
【図８】図１０の吸口継手組立体の上面図。
【図９】図１０の吸口継手組立体の正面図。
【図１０】起立角度に伴うロック部材の動作を示す吸口継手組立体の断面図。
【図１１】起立角度に伴うロック部材の動作を示す吸口継手組立体の断面図。
【図１２】起立角度に伴うロック部材の動作を示す吸口継手組立体の断面図。
【図１３】ロック時における吸口継手組立体の断面図。
【図１４】第２吸口継手を壁と平行にして掃除するときの説明図。
【図１５】本発明の電気掃除機の概略側面図。
【図１６】延長管をロックしたときの側面図。
【図１７】手元ハンドル部を取り外し、延長管を自立させたときの側面図。
【図１８】延長管自立時における延長管重心位置と吸口体との位置関係を示す図。
【図１９】延長管自立時における延長管の最長および最短のときの重心位置と吸口体との位置関係を示す図。
【符号の説明】
【００３４】
１  吸口本体、２  吸込口、３  吸口継手取付用ケース、４  ねじりばね、５  第１吸口継手、６  結合面  ７  第２吸口継手、８  下ケース、９  上ケース、１０  吸口体、１１  回転清掃体、１３  継手取付用上ケース、１４  継手取付用下ケース、１４ａ  第２の継手取付用下ケース、１９  回転軸、２２  受けケース、２３  ばね掛け円筒、２４  ばね係止壁、２５  ガイド壁、２６  ガイド円筒、２７  ばね係止壁、２８  スライド壁、２９  ストッパリブ、３０  ロック手段、３１  ロック部材、３１ａ  ロック部材の先端部、３１ｂ  ロック部材の後端部、３１ｃ  面取り、３２  ガイド壁、３３  長穴、３４  ロック部材用カバー、３５  ネジ取付ボス、３６  ばね、３７  ばね取付部、３９  切欠溝、４０  係合突条部、４０ａ  面取り、４１  吸口継手用カバー、４２  係合凹部、４３  当接部、１０１  掃除機本体、１０２  ホース、１０３  手元ハンドル部、１０４  アタッチメント本体部、１０５  延長管、１０６  トリガー。
【図１】
2006025844.tif 000003
【図２】
2006025844.tif 000004
【図３】
2006025844.tif 000005
【図４】
2006025844.tif 000006
【図５】
2006025844.tif 000007
【図６】
2006025844.tif 000008
【図７】
2006025844.tif 000009
【図８】
2006025844.tif 000010
【図９】
2006025844.tif 000011
【図１０】
2006025844.tif 000012
【図１１】
2006025844.tif 000013
【図１２】
2006025844.tif 000014
【図１３】
2006025844.tif 000015
【図１４】
2006025844.tif 000016
【図１５】
2006025844.tif 000017
【図１６】
2006025844.tif 000018
【図１７】
2006025844.tif 000019
【図１８】
2006025844.tif 000020
【図１９】
2006025844.tif 000021